(57)【要約】【課題】皮膚疾患と癒着したり、皮膚疾患の乾燥を遅延させたり、不衛生な状況を増長させることがなく、通水性がよく使用者が握った状態で洗浄できることもでき、通気性が良く清潔な状態を保持することができ、さらに、握り心地がよく使用者が好んで握り続けることで拘縮を遅延または改善することができる拘縮対策用ハンドグリップを提供する。【解決手段】本発明の拘縮対策用ハンドグリップ１は、長手方向に延在した芯部２と、芯部２に離間して設けられ芯部２から外方に向かって延出した多数の延出部３とを有し、芯部２と延出部３は樹脂材料にて一体的に形成されると共に、延出部３の周縁部４にて幅方向の外形が形成されている。【選択図】図１
2019037696.tif 000002
【特許請求の範囲】
【請求項１】
長手方向に延在した芯部と、該芯部に離間して設けられ前記芯部から外方に向かって延出した多数の延出部とを有し、前記芯部と前記延出部は樹脂材料にて一体的に形成されると共に、前記延出部の周縁部にて幅方向の外形が形成されていることを特徴とする拘縮対策用ハンドグリップ。
【請求項２】
樹脂材料にて形成され、多数の孔を有すると共に長手方向の両端にそれぞれ開口を有した筒状本体部にて構成されていることを特徴とする拘縮対策用ハンドグリップ。
【請求項３】
前記拘縮対策用ハンドグリップの前記樹脂材料は、軟質樹脂または弾性樹脂である請求項１または２に記載の縮対策用ハンドグリップ。
【請求項４】
前記拘縮対策用ハンドグリップの前記樹脂材料には、抗菌剤が配合されている請求項１ないし３のいずれかに記載の拘縮対策用ハンドグリップ。
【請求項５】
前記拘縮対策用ハンドグリップは、長手方向の両側に向かって縮小するように形成されている請求項１ないし４のいずれかに記載の拘縮対策用ハンドグリップ。
【請求項６】
前記拘縮対策用ハンドグリップは、指を離間させるための指離間用凸部を有している請求項１ないし５のいずれかに記載の拘縮対策用ハンドグリップ。
【請求項７】
前記拘縮対策用ハンドグリップは、長手方向の端部に吊るし穴を有している請求項１ないし６のいずれかに記載の拘縮対策用ハンドグリップ。
【請求項８】
前記拘縮対策用ハンドグリップは、表面に記入用スペースを有している請求項２ないし７のいずれかに記載の拘縮対策用ハンドグリップ。
【発明の詳細な説明】
【技術分野】
【０００１】
本発明は、手指が拘縮して握ったままの状態になってしまう使用者の手のひらに載せて握らせ、拘縮を遅らせると共に拘縮改善を図ることができる拘縮対策用ハンドグリップに関するものである。
【背景技術】
【０００２】
従来より、痴呆症、脳梗塞後遺症、麻痺などによって、手指が拘縮して握り込んだままの状態となった患者が、掌の痒み、表皮剥離、びらん、或いは膿疱のような皮疹などの皮膚疾患となり、不衛生的な状況が続く中で、さらに皮膚疾患や拘縮自体が進行していくことから種々の拘縮対策具が提案されている。
【０００３】
例えば、そのような拘縮対策具として、クッション体とクッション体を被覆する布巾からなる握り部と、握り部から延びる少なくとも一本の布巾製帯とを有した拘縮対策用ハンドグリップ（特開２０１２−９５７３４号）が提案されている。
【０００４】
また、伸縮性を有する複数の樹脂製線条が立体的で不規則に絡まって部分的に融着されて一体化した立体網状構造体と、立体網状構造体を被覆する被覆部材とを有する拘縮対策具（特許第６１１７７８５号公報）などが提案されている。
【０００５】
しかし、これらのものは、本体が目の細かいクッション材等の構造体にて形成されると共に、その表面を布製の被覆材で被覆しているため、皮膚疾患と癒着したり、通気性が悪くて皮膚疾患の乾燥を遅延させたりして、かえって不衛生な状況を増長させることがあった。また、拘縮対策具には、使用者の手を清潔にするために、握った状態で指間等を洗浄できることが求められるが、通水性が悪くそのような使用には不向きであった。さらに、拘縮を遅らせ、または改善するためには、使用者が好んで握り続けるものであることが求められるが、構造や装着が煩雑で握り心地が悪いものであった。
【先行技術文献】
【特許文献】
【０００６】
【特許文献１】特開２０１２−９５７３４号公報
【特許文献２】特許第６１１７７８５号公報
【発明の概要】
【発明が解決しようとする課題】
【０００７】
そこで、本発明は、上記問題点を一挙に解決するために想起されたものであり、すなわち、本発明の課題は、皮膚疾患と癒着したり、皮膚疾患の乾燥を遅延させたり、不衛生な状況を増長させることがなく、通水性がよく使用者が握った状態で洗浄できると共に、通気性が良く清潔な状態を保持することができ、さらに、握り心地がよく使用者が好んで握り続けることで拘縮を遅延または改善することができる拘縮対策用ハンドグリップを提供することにある。
【課題を解決するための手段】
【０００８】
上記課題を解決するものは、長手方向に延在した芯部と、該芯部に離間して設けられ前記芯部から外方に向かって延出した多数の延出部とを有し、前記芯部と前記延出部は樹脂材料にて一体的に形成されると共に、前記延出部の周縁部にて幅方向の外形が形成されていることを特徴とする拘縮対策用ハンドグリップである（請求項１）。
【０００９】
また、上記課題を解決するものは、樹脂材料にて形成され、多数の孔を有すると共に長手方向の両端にそれぞれ開口を有した筒状本体部にて構成されていることを特徴とする拘縮対策用ハンドグリップである（請求項２）。
【００１０】
前記拘縮対策用ハンドグリップの前記樹脂材料は、軟質樹脂または弾性樹脂であることが好ましい（請求項３）。前記拘縮対策用ハンドグリップの前記樹脂材料には、抗菌剤が配合されていることが好ましい（請求項４）。前記拘縮対策用ハンドグリップは、長手方向の両側に向かって縮小するように形成されていることが好ましい（請求項５）。前記拘縮対策用ハンドグリップは、指を離間させるための指離間用凸部を有していることが好ましい（請求項６）。前記拘縮対策用ハンドグリップは、長手方向の端部に吊るし穴を有していることが好ましい（請求項７）。前記拘縮対策用ハンドグリップは、表面に記入用スペースを有していることが好ましい（請求項８）。
【発明の効果】
【００１１】
請求項１に記載した拘縮対策用ハンドグリップによれば、皮膚疾患と癒着したり、皮膚疾患の乾燥を遅延させたり、不衛生な状況を増長させることがなく、通水性がよく使用者が握った状態で洗浄して指間を清潔にすることができると共に、通気性が良く清潔な状態を保持することができ、さらに、握り心地がよく使用者が好んで握り続けることで拘縮を遅延または改善することができる。
請求項２に記載した拘縮対策用ハンドグリップによれば、皮膚疾患と癒着したり、皮膚疾患の乾燥を遅延させたり、不衛生な状況を増長させることがなく、通水性がよく使用者が握った状態で洗浄できることもでき、内部は空洞なので通気性が良く空気を流通させ手を乾燥させて清潔にすることもでき、さらに、握り心地がよく使用者が好んで握り続けることで拘縮を遅延または改善することができる。
請求項３に記載した拘縮対策用ハンドグリップによれば、拘縮対策用ハンドグリップが軟質樹脂または弾性樹脂材料にて形成されることで、より握り心地が良く、使用者がより好んで握り続けるようになることで拘縮を遅延または改善することができる。
請求項４に記載した拘縮対策用ハンドグリップによれば、抗菌作用を付加することができ、使用者の拘縮した手をより清潔に保持することができる。
請求項５に記載した拘縮対策用ハンドグリップによれば、長手方向の両端部に向かって外径が縮小することによって、より握り易い拘縮対策用ハンドグリップとなる。
請求項６に記載した拘縮対策用ハンドグリップによれば、指間に凸部が配されることにより、指を離間させることができ、通気性を保持して乾燥を促進すると共に清潔な状態をより保持することができる。
請求項７に記載した拘縮対策用ハンドグリップによれば、吊るし穴に掛止部材を挿入して吊り下げることで、洗浄後の乾燥を促進すると共に、使用時まで吊り下げてより衛生的に使用することができる。
請求項８に記載した拘縮対策用ハンドグリップによれば、記入用スペースに例えば使用者の氏名等を記入して衛生的に管理して使用することができる。
【図面の簡単な説明】
【００１２】
【図１】本発明の拘縮対策用ハンドグリップの一実施例を正面図である。
【図２】図１に示した拘縮対策用ハンドグリップの右側面図である。
【図３】図１に示した拘縮対策用ハンドグリップの平面図である。
【図４】図１に示した拘縮対策用ハンドグリップの斜視図である。
【図５】本発明の拘縮対策用ハンドグリップの他の実施例を正面図である。
【図６】図５に示した拘縮対策用ハンドグリップの右側面図である。
【図７】図５に示した拘縮対策用ハンドグリップの平面図である。
【図８】図５に示した拘縮対策用ハンドグリップの斜視図である。
【図９】図５のＡ−Ａ線断面図である。
【図１０】図７のＢ−Ｂ線断面図である。
【図１１】本発明の拘縮対策用ハンドグリップの他の実施例を正面図である。
【図１２】図１１に示した拘縮対策用ハンドグリップの右側面図である。
【図１３】図１１に示した拘縮対策用ハンドグリップの平面図である。
【図１４】図１１に示した拘縮対策用ハンドグリップの斜視図である。
【図１５】図１１のＣ−Ｃ線断面図である。
【図１６】図１３のＤ−Ｄ線断面図である。
【図１７】本発明の拘縮対策用ハンドグリップの他の実施例を正面図である。
【図１８】図１１に示した拘縮対策用ハンドグリップの右側面図である。
【図１９】図１１に示した拘縮対策用ハンドグリップの平面図である。
【図２０】図１１に示した拘縮対策用ハンドグリップの斜視図である。
【図２１】図１７のＥ−Ｅ線断面図である。
【図２２】本発明の拘縮対策用ハンドグリップの他の実施例を正面図である。
【図２３】図２２に示した拘縮対策用ハンドグリップの右側面図である。
【図２４】図２２に示した拘縮対策用ハンドグリップの平面図である。
【図２５】図２２に示した拘縮対策用ハンドグリップの斜視図である。
【図２６】図２２のＦ−Ｆ線断面図である。
【発明を実施するための形態】
【００１３】
本発明では、長手方向に延在した芯部２と、芯部２に離間して設けられ芯部２から外方に向かって延出した多数の延出部３とを有し、芯部２と延出部３は樹脂材料にて一体的に形成されると共に、延出部３の周縁部４にて幅方向の外形が形成されていることで、皮膚疾患と癒着したり、皮膚疾患の乾燥を遅延させたり、不衛生な状況を増長させることがなく、通水性がよく使用者が握った状態で洗浄できることもでき、通気性が良く清潔な状態を保持することができ、さらに、握り心地がよく使用者が好んで握り続けることで拘縮を遅延または改善することができる拘縮対策用ハンドグリップ１を実現した。
【実施例１】
【００１４】
本発明の拘縮対策用ハンドグリップを図１ないし図４に示した一実施例を用いて説明する。
この実施例の拘縮対策用ハンドグリップ１は、長手方向に延在した芯部２と、芯部２に離間して設けられ芯部２から外方に向かって延出した多数の延出部３とを有し、芯部２と延出部３は樹脂材料にて一体的に形成されると共に、延出部３の周縁部４にて幅方向の外形が形成されている。以下、各構成について順次詳述する。
【００１５】
芯部２は、図１または図３に示すように、延出部３の中央（中心）付近において長手方向に延在する部位であり、この実施例の拘縮対策用ハンドグリップ１は、使用者の掌の上において、掌の幅方向（人差し指から小指が並ぶ方向）と上記長手方向を一致させるように載置し握って使用するものである。
【００１６】
延出部３は、芯部２に離間して設けられ芯部２から外方に向かって延出したものであり、図１または図３に示すように、多数の延出部３（この実施例では、１９枚の延出部）にて構成されている。
【００１７】
より具体的には、この実施例の延出部３は、図２または図４に示すように、側面視楕円形に形成されており、このような延出部３が、１枚の延出部３の厚み分それぞれ離間して、芯部２の延在方向（拘縮対策用ハンドグリップ１の長手方向）に直交する方向に向かって芯部２から外方（四方八方）に延出するように設けられている。ただし、本発明の拘縮対策用ハンドグリップの延出部は、上記に限定されるものではなく、側面視楕円以外の形状に形成されるものでもよく、例えば側面視円形等の延出部や側面視で分岐したものなども本発明の範疇に包含される。また、延出部が、芯部の延在方向（拘縮対策用ハンドグリップ１の長手方向）に対して直交する方向以外に向かって芯部２から外方に延出するものも本発明の範疇に包含される。
【００１８】
芯部２と延出部３は樹脂材料にて一体的に形成されている。ここで、一体的とは一体成形されている場合の他、芯部２と延出部３が別部材として成形された後、接着或いは溶着などによって固着されている場合を含むものである。好ましくは一体成形である。また、芯部２と延出部３は、樹脂材料にて形成されることにより、着色性、成形容易性、耐久性、耐光性、易乾燥性または低廉性に優れ、煮沸消毒にも適し衛生的な拘縮対策用ハンドグリップを構成できる。
【００１９】
特に、拘縮対策用ハンドグリップ１を形成する樹脂材料は、軟質樹脂または弾性樹脂であることが好ましい。拘縮対策用ハンドグリップ１が軟質樹脂または弾性樹脂材料にて形成されることで、より握り心地が良く、使用者がより好んで握り続けるようになり拘縮を遅延または改善することができる。軟質樹脂または弾性樹脂としては、例えば、ポリエチレン，ポリプロピレン、ポリスチレン、ポリ塩化ビニル、シリコーン、エラストマー等が好適に使用できる。
【００２０】
また、拘縮対策用ハンドグリップ１の樹脂材料には、抗菌剤が配合されていることが好ましい。これにより、抗菌作用を付加することができ、使用者の拘縮した手をより清潔に保持することができる。抗菌剤としては、例えば、抗菌金属イオンの無機系抗菌剤が好適に使用できる。
【００２１】
拘縮対策用ハンドグリップ１は、延出部３の周縁部４にて幅方向の外形が形成されている。この実施例では、図４に示すように、略楕円球状体に形成されている。これにより、各延出部３の周縁部４と延出部３間の空間により凹凸が形成されて、拘縮対策用ハンドグリップ１を使用者が握ると掌を刺激するように構成されている。ただし、本発明の拘縮対策用ハンドグリップ１の幅方向の外形は略楕円形状に限定されるものではなく、どのような形態のものも本発明の拘縮対策用ハンドグリップの範疇に包含される。
【００２２】
この実施例の拘縮対策用ハンドグリップ１は、長手方向の両側に向かって縮小するように形成されている。具体的には、長手方向の両側に向かって、延出部３の側面視楕円形が徐々に小さくなるように形成されており、これにより、長手方向の両端部に向かって外径が縮小するため、より握り易い拘縮対策用ハンドグリップ１に構成されている。
【００２３】
さらに、この実施例の拘縮対策用ハンドグリップ１は、長手方向の端部に吊るし穴５を有している。これにより、吊るし穴５に掛止部材を挿入して吊り下げることができ、洗浄後の乾燥を促進すると共に、使用時まで吊り下げてより衛生的に管理使用することができる。
【００２４】
つぎに、本発明の拘縮対策用ハンドグリップ１の作用効果を使用方法と共に説明する。
拘縮対策用ハンドグリップ１を使用するには、使用者は、掌の幅方向に沿って拘縮対策用ハンドグリップ１の長手方向を載置し五指を曲げて握る。拘縮対策用ハンドグリップ１は握り心地が良く、各延出部３の周縁部４と延出部３間の空間により凹凸が形成されているため、使用者が握ると掌を刺激するためマッサージ作用もあるため、さらに握り心地がよく、使用者が好んで握り続けることで拘縮が遅延または改善される。また、通水性がよく使用者が握った状態で洗浄して指間を清潔にすることもでき、洗浄水は延出部３間の間隙空間より外方に流出する。さらに、延出部３の間隙空間が多数存在することにより、通気性が良く清潔な状態が保持される。使用後は、吊るし穴５に掛止部材を挿入して吊り下げ、洗浄後の乾燥を促進すると共に、次の使用時まで吊り下げてより衛生的に管理することができる。
【００２５】
さらに、図５ないし図１０に示した本発明の他の実施例である拘縮対策用ハンドグリップ１０について説明する。
この実施例の拘縮対策用ハンドグリップ１０と前述した拘縮対策用ハンドグリップ１との基本的な相違は、拘縮対策用ハンドグリップ１の芯部２が棒状部であるのに対して、拘縮対策用ハンドグリップ１０の芯部１１は板状部である点と、拘縮対策用ハンドグリップ１０が吊るし穴を有していない点であり他は同様である。拘縮対策用ハンドグリップ１と同一構成部分については同一符号を付し説明を省略する。
【００２６】
さらに、図１１ないし図１６に示した本発明の他の実施例である拘縮対策用ハンドグリップ２０について説明する。
この実施例の拘縮対策用ハンドグリップ２０と前述した拘縮対策用ハンドグリップ１０との基本的な相違は、拘縮対策用ハンドグリップ２０が幅方向のサイズが大きく、手が大きい使用者用である点と、拘縮対策用ハンドグリップ２０が指を離間させるための指離間用凸部２１，２２，２３を有している点であり他は同様である。拘縮対策用ハンドグリップ１０と同一構成部分については同一符号を付し説明を省略する。
【００２７】
このように、この実施例の拘縮対策用ハンドグリップ２０は、図１１に示すように、幅方向の一方側（図１１中上方向）の長さを調整して外形に、指を離間させるための指離間用凸部２１，２２，２３を形成することで、指間に凸部が配されて指を離間させて指同士の接触を回避することができ、通気性をより保持して乾燥を促進すると共に清潔な状態をより保持することができるように構成されている。
【００２８】
つぎに、図１７ないし図２１に示した本発明の他の実施例である拘縮対策用ハンドグリップ３０について説明する。
この実施例の拘縮対策用ハンドグリップ３０は、樹脂材料にて形成され、多数の孔３１を有すると共に長手方向の両端にそれぞれ開口３２，３３を有した筒状本体部３４にて構成されている。以下、各構成について順次詳述する。
【００２９】
この実施例の拘縮対策用ハンドグリップ３０は、使用者の掌の上において、掌の幅方向（人差し指から小指が並ぶ方向）と筒状本体部３４の長手方向を一致させるように載置し握って使用するものである。
【００３０】
筒状本体部３４は樹脂材料にて一体的に形成されている。ここで、一体的とは一体成形されている場合の他、２以上の部材として成形された後、接着或いは溶着などによって固着されている場合を含むものである。好ましくは一体成形である。このように、筒状本体部３４が樹脂材料にて形成されることにより、着色性、成形容易性、耐久性、耐光性、易乾燥性または低廉性に優れ、煮沸消毒にも適し衛生的な拘縮対策用ハンドグリップを構成できる。
【００３１】
特に、拘縮対策用ハンドグリップ３０を形成する樹脂材料は、軟質樹脂または弾性樹脂であることが好ましい。拘縮対策用ハンドグリップ３０が軟質樹脂または弾性樹脂材料にて形成されることで、より握り心地が良く、使用者がより好んで握り続けるようになり拘縮を遅延または改善することができる。軟質樹脂または弾性樹脂としては、例えば、ポリエチレン，ポリプロピレン、ポリスチレン、ポリ塩化ビニル、シリコーン、エラストマー等が好適に使用できる。
【００３２】
また、拘縮対策用ハンドグリップ３０の樹脂材料には、抗菌剤が配合されていることが好ましい。これにより、抗菌作用を付加することができ、使用者の拘縮した手をより清潔に保持することができる。抗菌剤としては、例えば、抗菌金属イオンの無機系抗菌剤が好適に使用できる。
【００３３】
拘縮対策用ハンドグリップ３０は、図２０に示すように、略楕円球状体に形成されている。そして、拘縮対策用ハンドグリップ３０の両側面側には、図１８または図１９に示すように、多数の孔３１が設けられており、これにより、拘縮対策用ハンドグリップ３０を使用者が握ると多数の孔３１が掌を刺激するように構成されている。ただし、本発明の拘縮対策用ハンドグリップ３０の筒状本体部３４の外形は略楕円形状に限定されるものではなく、筒状体で内部が空洞であればどのような形態のものも本発明の拘縮対策用ハンドグリップの範疇に包含される。
【００３４】
この実施例の拘縮対策用ハンドグリップ３０は、長手方向の両側に向かって縮小するように形成されている。具体的には、長手方向の両側に向かって、筒状本体部３４の幅方向の径が徐々に小さくなるように形成されており、これにより、より握り易い拘縮対策用ハンドグリップ３０に構成されている。
【００３５】
さらに、拘縮対策用ハンドグリップ３０は、図１７、図１８または図２０に示すように、表面に記入用スペース６を有している。この記入用スペース６に例えば使用者の氏名等を記入して衛生的に管理して使用することができる。
【００３６】
つぎに、本発明の拘縮対策用ハンドグリップ３０の作用効果を使用方法と共に説明する。
拘縮対策用ハンドグリップ３０を使用するには、使用者は、掌の幅方向に沿って拘縮対策用ハンドグリップ３０の長手方向を載置し五指を曲げて握る。拘縮対策用ハンドグリップ３０は握り心地が良く、両側面側には、多数の孔３１が設けられているため、使用者が握ると多数の孔３１が掌を刺激してマッサージ作用もあるため、さらに握り心地がよく、使用者が好んで握り続けることで拘縮が遅延または改善される。また、通水性がよく使用者が握った状態で洗浄して指間を清潔にすることもでき、洗浄水は多数の孔３１と長手方向の両端にそれぞれ設けられた開口３２，３３から外方に流出する。さらに、多数の孔３１と開口３２，３３により、通気性が良く清潔な状態が保持される。さらに、記入用スペース６に例えば使用者の氏名等を記入して使用することで衛生的に管理することができる。
【００３７】
さらに、図２２ないし図２６に示した本発明の他の実施例である拘縮対策用ハンドグリップ４０について説明する。
この実施例の拘縮対策用ハンドグリップ４０と前述した拘縮対策用ハンドグリップ３０との基本的な相違は、拘縮対策用ハンドグリップ２０が幅方向のサイズが大きく、手が大きい使用者用である点と、拘縮対策用ハンドグリップ４０が指を離間させるための指離間用凸部４１，４２，４３を有している点であり他は同様である。拘縮対策用ハンドグリップ３０と同一構成部分については同一符号を付し説明を省略する。
【００３８】
このように、この実施例の拘縮対策用ハンドグリップ４０は、図２２に示すように、幅方向の一方側（図２２中上方向）の長さを調整して外形に、指を離間させるための指離間用凸部２１，２２，２３を形成することで、指間に凸部が配されて指を離間させて指同士の接触を回避することができ、通気性をより保持して乾燥を促進すると共に清潔な状態をより保持することができるように構成されている。
【符号の説明】
【００３９】
１        拘縮対策用ハンドグリップ
２        芯部
３        延出部
４        延出部の周縁部
５        吊るし穴
６        記入用スペース
【図１】
2019037696.tif 000003
【図２】
2019037696.tif 000004
【図３】
2019037696.tif 000005
【図４】
2019037696.tif 000006
【図５】
2019037696.tif 000007
【図６】
2019037696.tif 000008
【図７】
2019037696.tif 000009
【図８】
2019037696.tif 000010
【図９】
2019037696.tif 000011
【図１０】
2019037696.tif 000012
【図１１】
2019037696.tif 000013
【図１２】
2019037696.tif 000014
【図１３】
2019037696.tif 000015
【図１４】
2019037696.tif 000016
【図１５】
2019037696.tif 000017
【図１６】
2019037696.tif 000018
【図１７】
2019037696.tif 000019
【図１８】
2019037696.tif 000020
【図１９】
2019037696.tif 000021
【図２０】
2019037696.tif 000022
【図２１】
2019037696.tif 000023
【図２２】
2019037696.tif 000024
【図２３】
2019037696.tif 000025
【図２４】
2019037696.tif 000026
【図２５】
2019037696.tif 000027
【図２６】
2019037696.tif 000028